【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
基準ユーザ機器（ＵＥ）によるワイヤレス通信の方法であって、
リソースのセットの第１のサブセット中でメッセージを送信すること、前記メッセージは、前記基準ＵＥの位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信することと、
少なくとも１つの他の基準ＵＥから少なくとも１つの他のシーケンスを受信することと、
前記少なくとも１つの他のＵＥから受信された前記受信された少なくとも１つの他のシーケンスの前記到着時間に、および前記基準ＵＥの前記位置と前記少なくとも１つの他の基準ＵＥの前記位置とに基づいて送信タイミングを調整することと、
前記調整された送信タイミングに基づいて、前記リソースのセットの第３のサブセット中の１つまたは複数のシンボル中で前記シーケンスを送信すること、ここにおいて、前記１つまたは複数のシンボルは、前記リソースＩＤによって識別される、と
を備える、方法。
【請求項２】
前記調整された送信タイミングは、前記少なくとも１つの他の基準ＵＥとの送信同期を可能にする、
請求項１に記載の方法。
【請求項３】
前記調整された送信タイミングに基づいて、前記第３のサブセット中で送信された前記シーケンスは、第２のＵＥが前記第２のＵＥの位置を決定することを可能にする、
請求項１に記載の方法。
【請求項４】
前記少なくとも１つの他の基準ＵＥから少なくとも１つのタイミング調整されたシーケンスを受信することと、
前記少なくとも１つの他の基準ＵＥからの前記受信された少なくとも１つのタイミング調整されたシーケンスに基づいて、前記調整された送信タイミングを再調整することと、
前記再調整された送信タイミングに基づいて、前記リソースのセットの第４のサブセット中の前記１つまたは複数のシンボル中で前記シーケンスを送信することと
備えることを進める、請求項１に記載の方法。
【請求項５】
前記送信タイミングを前記調整することは、
前記基準ＵＥと前記少なくとも１つの他の基準ＵＥとの間の伝搬遅延を決定することと、
前記決定された伝搬遅延と前記受信された少なくとも１つの他のシーケンスの前記到着時間とに基づいて前記基準ＵＥと前記少なくとも１つの他の基準ＵＥとの間の時間差を決定することと
を備える、請求項１に記載の方法。
【請求項６】
前記少なくとも１つの他の基準ＵＥから１つまたは複数のメッセージを受信することをさらに備え、前記１つまたは複数のメッセージの各々は、前記少なくとも１つの他の基準ＵＥの各々のための位置と、前記少なくとも１つの他のシーケンスの各々に関連付けられた第２のリソースＩＤとを備え、前記第２のリソースＩＤは、前記リソースのセットの前記第２のサブセット中で前記それぞれの少なくとも１つの他のシーケンスを受信するための１つまたは複数のシンボルを示す、
請求項１に記載の方法。
【請求項７】
基地局からリソースメッセージを受信することをさらに備え、前記リソースメッセージは、前記リソースのセットの前記第１のサブセットと、前記リソースのセットの前記第２のサブセットと、前記リソースのセットの前記第３のサブセットとを示す、
請求項１に記載の方法。
【請求項８】
前記リソースのセットの前記第１のサブセット中で前記メッセージを送信するための少なくとも１つのリソースを決定することをさらに備える、
請求項１に記載の方法。
【請求項９】
ワイヤレス通信のための装置であって、
リソースのセットの第１のサブセット中でメッセージを送信するための手段、前記メッセージは、前記装置の位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信するための手段と、
少なくとも１つの他の基準ＵＥから少なくとも１つの他のシーケンスを受信するための手段と、
前記少なくとも１つの他の基準ＵＥから受信された前記受信された少なくとも１つの他のシーケンスの前記到着時間に、および前記ＵＥの前記位置と前記少なくとも１つの他の基準ＵＥの前記位置とに基づいて送信タイミングを調整するための手段と、
前記調整された送信タイミングに基づいて、前記リソースのセットの第３のサブセット中の１つまたは複数のシンボル中で前記シーケンスを送信するための手段、ここにおいて、前記１つまたは複数のシンボルは、前記リソースＩＤによって識別される、と
を備える、装置。
【請求項１０】
前記少なくとも１つの他のＵＥから少なくとも１つのタイミング調整されたシーケンスを受信するための手段と、
前記少なくとも１つの他の基準ＵＥからの前記受信された少なくとも１つのタイミング調整されたシーケンスに基づいて、前記調整された送信タイミングを再調整するための手段と、
前記再調整された送信タイミングに基づいて、前記リソースのセットの第４のサブセット中の前記１つまたは複数のシンボル中で前記シーケンスを送信するための手段と
を備えることを進める、請求項９に記載の装置。
【請求項１１】
前記少なくとも１つの他の基準ＵＥから１つまたは複数のメッセージを受信するための手段をさらに備え、前記１つまたは複数のメッセージの各々は、前記少なくとも１つの他の基準ＵＥの各々のための位置と、前記少なくとも１つの他のシーケンスの各々に関連付けられた第２のリソースＩＤとを備え、前記第２のリソースＩＤは、前記リソースのセットの前記第２のサブセット中で前記それぞれの少なくとも１つの他のシーケンスを受信するための１つまたは複数のシンボルを示す、
請求項９に記載の装置。
【請求項１２】
基地局からリソースメッセージを受信するための手段をさらに備え、前記リソースメッセージは、前記リソースのセットの前記第１のサブセットと、前記リソースのセットの前記第２のサブセットと、前記リソースのセットの前記第３のサブセットとを示す、
請求項９に記載の装置。
【請求項１３】
前記リソースのセットの前記第１のサブセット中で前記メッセージを送信するための少なくとも１つのリソースを決定するための手段をさらに備える、
請求項９に記載の装置。
【請求項１４】
前記シーケンスを送信するための前記リソースのセットの前記第２のサブセットの前記少なくとも１つのシンボルを決定するための手段をさらに備える、
請求項９に記載の装置。
【請求項１５】
コンピュータによって実行されると、コンピュータに、請求項１乃至８のいずれか１項に従う方法を実行させるコードを備えるコンピュータプログラム。
【手続補正２】
【補正対象書類名】明細書
【補正対象項目名】０１０６
【補正方法】変更
【補正の内容】
【０１０６】
[0090]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）によるワイヤレス通信の方法であって、
リソースのセットの第１のサブセット中でメッセージを送信すること、前記メッセージは、前記ＵＥの位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信することと、
少なくとも１つの他のＵＥから少なくとも１つの他のシーケンスを受信することと、
前記少なくとも１つの他のＵＥから受信された前記受信された少なくとも１つの他のシーケンスに基づいて送信タイミングを調整することと、
前記調整された送信タイミングに基づいて、前記リソースのセットの第３のサブセット中の１つまたは複数のシンボル中で前記シーケンスを送信すること、ここにおいて、前記１つまたは複数のシンボルは、前記リソースＩＤによって識別される、と
を備える、方法。
［Ｃ２］
前記調整された送信タイミングは、前記少なくとも１つの他のＵＥとの送信同期を可能にする、
［Ｃ１］に記載の方法。
［Ｃ３］
前記調整された送信タイミングに基づいて、前記第３のサブセット中で送信された前記シーケンスは、第２のＵＥが前記第２のＵＥの位置を決定することを可能にする、
［Ｃ１］に記載の方法。
［Ｃ４］
前記少なくとも１つの他のＵＥから少なくとも１つのタイミング調整されたシーケンスを受信することと、
前記少なくとも１つの他のＵＥからの前記受信された少なくとも１つのタイミング調整されたシーケンスに基づいて、前記調整された送信タイミングを再調整することと、
前記再調整された送信タイミングに基づいて、前記リソースのセットの第４のサブセット中の前記１つまたは複数のシンボル中で前記シーケンスを送信することと
備えることを進める、［Ｃ１］に記載の方法。
［Ｃ５］
前記再調整された送信タイミングに基づいて、前記第４のサブセット中で送信された前記シーケンスは、第２のＵＥが前記第２のＵＥの位置を決定することを可能にする、
［Ｃ４］に記載の方法。
［Ｃ６］
前記送信タイミングを前記調整することは、
前記ＵＥと前記少なくとも１つの他のＵＥとの間の伝搬遅延を決定することと、
前記受信された少なくとも１つの他のシーケンスに基づいて前記ＵＥと前記少なくとも１つの他のＵＥとの間の到着時間を決定することと、
前記決定された伝搬遅延と前記決定された到着時間とに基づいて前記ＵＥと前記少なくとも１つの他のＵＥとの間の時間差を決定することと
を備える、［Ｃ１］に記載の方法。
［Ｃ７］
前記送信タイミングを前記調整することは、前記ＵＥと前記少なくとも１つの他のＵＥとの間の前記決定された時間差のすべてに基づいて前記送信タイミングを決定することをさらに備える、
［Ｃ６］に記載の方法。
［Ｃ８］
前記少なくとも１つの他のＵＥから１つまたは複数のメッセージを受信することをさらに備え、前記１つまたは複数のメッセージの各々は、前記少なくとも１つの他のＵＥの各々のための位置と、前記少なくとも１つの他のシーケンスの各々に関連付けられた第２のリソースＩＤとを備え、前記第２のリソースＩＤは、前記リソースのセットの前記第２のサブセット中で前記それぞれの少なくとも１つの他のシーケンスを受信するための１つまたは複数のシンボルを示す、
［Ｃ１］に記載の方法。
［Ｃ９］
基地局からリソースメッセージを受信することをさらに備え、前記リソースメッセージは、前記リソースのセットの前記第１のサブセットと、前記リソースのセットの前記第２のサブセットと、前記リソースのセットの前記第３のサブセットとを示す、
［Ｃ１］に記載の方法。
［Ｃ１０］
前記リソースのセットの前記第１のサブセット中で前記メッセージを送信するための少なくとも１つのリソースを決定することをさらに備える、
［Ｃ１］に記載の方法。
［Ｃ１１］
前記シーケンスを送信するための前記リソースのセットの前記第２のサブセットの前記少なくとも１つのシンボルを決定することをさらに備える、
［Ｃ１］に記載の方法。
［Ｃ１２］
前記決定は、ランダム選択またはエネルギーベース検出に基づく、
［Ｃ１１］に記載の方法。
［Ｃ１３］
前記シーケンスを送信するための前記リソースのセットの前記第２のサブセットの前記少なくとも１つのシンボルを示すリソースメッセージを基地局から受信することをさらに備え、前記少なくとも１つのシンボルの前記決定は、前記受信されたメッセージに基づく、
［Ｃ１１］に記載の方法。
［Ｃ１４］
ワイヤレス通信のための装置であって、
リソースのセットの第１のサブセット中でメッセージを送信するための手段、前記メッセージは、前記装置の位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信するための手段と、
少なくとも１つの他のＵＥから少なくとも１つの他のシーケンスを受信するための手段と、
前記少なくとも１つの他のＵＥから受信された前記受信された少なくとも１つの他のシーケンスに基づいて送信タイミングを調整するための手段と、
前記調整された送信タイミングに基づいて、前記リソースのセットの第３のサブセット中の１つまたは複数のシンボル中で前記シーケンスを送信するための手段、ここにおいて、前記１つまたは複数のシンボルは、前記リソースＩＤによって識別される、と
を備える、装置。
［Ｃ１５］
前記少なくとも１つの他のＵＥから少なくとも１つのタイミング調整されたシーケンスを受信するための手段と、
前記少なくとも１つの他のＵＥからの前記受信された少なくとも１つのタイミング調整されたシーケンスに基づいて、前記調整された送信タイミングを再調整するための手段と、
前記再調整された送信タイミングに基づいて、前記リソースのセットの第４のサブセット中の前記１つまたは複数のシンボル中で前記シーケンスを送信するための手段と
を備えることを進める、［Ｃ１４］に記載の装置。
［Ｃ１６］
前記少なくとも１つの他のＵＥから１つまたは複数のメッセージを受信するための手段をさらに備え、前記１つまたは複数のメッセージの各々は、前記少なくとも１つの他のＵＥの各々のための位置と、前記少なくとも１つの他のシーケンスの各々に関連付けられた第２のリソースＩＤとを備え、前記第２のリソースＩＤは、前記リソースのセットの前記第２のサブセット中で前記それぞれの少なくとも１つの他のシーケンスを受信するための１つまたは複数のシンボルを示す、
［Ｃ１４］に記載の装置。
［Ｃ１７］
基地局からリソースメッセージを受信するための手段をさらに備え、前記リソースメッセージは、前記リソースのセットの前記第１のサブセットと、前記リソースのセットの前記第２のサブセットと、前記リソースのセットの前記第３のサブセットとを示す、
［Ｃ１４］に記載の装置。
［Ｃ１８］
前記リソースのセットの前記第１のサブセット中で前記メッセージを送信するための少なくとも１つのリソースを決定するための手段をさらに備える、
［Ｃ１４］に記載の装置。
［Ｃ１９］
前記シーケンスを送信するための前記リソースのセットの前記第２のサブセットの前記少なくとも１つのシンボルを決定するための手段をさらに備える、
［Ｃ１４］に記載の装置。
［Ｃ２０］
前記シーケンスを送信するための前記リソースのセットの前記第２のサブセットの前記少なくとも１つのシンボルを示すリソースメッセージを基地局から受信することをさらに備え、前記少なくとも１つのシンボルの前記決定は、前記受信されたメッセージに基づく、
［Ｃ１９］に記載の装置。
［Ｃ２１］
ワイヤレス通信のための装置であって、
メモリと、
前記メモリに結合された少なくとも１つのプロセッサと
を備え、前記少なくとも１つのプロセッサは、
リソースのセットの第１のサブセット中でメッセージを送信すること、前記メッセージは、前記装置の位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信することと、
少なくとも１つの他のＵＥから少なくとも１つの他のシーケンスを受信することと、
前記少なくとも１つの他のＵＥから受信された前記受信された少なくとも１つの他のシーケンスに基づいて送信タイミングを調整することと、
前記調整された送信タイミングに基づいて、前記リソースのセットの第３のサブセット中の１つまたは複数のシンボル中で前記シーケンスを送信すること、ここにおいて、前記１つまたは複数のシンボルは、前記リソースＩＤによって識別される、と
を行うように構成される、装置。
［Ｃ２２］
前記少なくとも１つのプロセッサは、
前記少なくとも１つの他のＵＥから少なくとも１つのタイミング調整されたシーケンスを受信することと、
前記少なくとも１つの他のＵＥからの前記受信された少なくとも１つのタイミング調整されたシーケンスに基づいて、前記調整された送信タイミングを再調整することと、
前記再調整された送信タイミングに基づいて、前記リソースのセットの第４のサブセット中の前記１つまたは複数のシンボル中で前記シーケンスを送信することと
を行うようにさらに構成される、［Ｃ２１］に記載の装置。
［Ｃ２３］
前記少なくとも１つのプロセッサは、
前記装置と前記少なくとも１つの他のＵＥとの間の伝搬遅延を決定することと、
前記受信された少なくとも１つの他のシーケンスに基づいて前記装置と前記少なくとも１つの他のＵＥとの間の到着時間を決定することと、
前記決定された伝搬遅延と前記決定された到着時間とに基づいて前記装置と前記少なくとも１つの他のＵＥとの間の時間差を決定することと
によって前記送信タイミングを調整するようにさらに構成される、［Ｃ２１］に記載の装置。
［Ｃ２４］
前記少なくとも１つのプロセッサは、前記装置と前記少なくとも１つの他のＵＥとの間の前記決定された時間差のすべてに基づいて前記送信タイミングを決定することによって前記送信タイミングを調整するようにさらに構成される、
［Ｃ２３］に記載の装置。
［Ｃ２５］
前記少なくとも１つのプロセッサは、前記少なくとも１つの他のＵＥから１つまたは複数のメッセージを受信するようにさらに構成され、前記１つまたは複数のメッセージの各々は、前記少なくとも１つの他のＵＥの各々のための位置と、前記少なくとも１つの他のシーケンスの各々に関連付けられた第２のリソースＩＤとを備え、前記第２のリソースＩＤは、前記リソースのセットの前記第２のサブセット中で前記それぞれの少なくとも１つの他のシーケンスを受信するための１つまたは複数のシンボルを示す、
［Ｃ２１］に記載の装置。
［Ｃ２６］
前記少なくとも１つのプロセッサは、基地局からリソースメッセージを受信するようにさらに構成され、前記リソースメッセージは、前記リソースのセットの前記第１のサブセットと、前記リソースのセットの前記第２のサブセットと、前記リソースのセットの前記第３のサブセットとを示す、
［Ｃ２１］に記載の装置。
［Ｃ２７］
前記少なくとも１つのプロセッサは、前記リソースのセットの前記第１のサブセット中で前記メッセージを送信するための少なくとも１つのリソースを決定するようにさらに構成される、
［Ｃ２１］に記載の装置。
［Ｃ２８］
前記少なくとも１つのプロセッサは、前記シーケンスを送信するための前記リソースのセットの前記第２のサブセットの前記少なくとも１つのシンボルを決定するようにさらに構成される、
［Ｃ２１］に記載の装置。
［Ｃ２９］
前記少なくとも１つのプロセッサは、前記シーケンスを送信するための前記リソースのセットの前記第２のサブセットの前記少なくとも１つのシンボルを示すリソースメッセージを基地局から受信するようにさらに構成され、前記少なくとも１つのシンボルの前記決定は、前記受信されたメッセージに基づく、
［Ｃ２８］に記載の装置。
［Ｃ３０］
ワイヤレス通信のためにユーザ機器（ＵＥ）に関連付けられたコンピュータ実行可能コードを記憶するコンピュータ可読媒体であって、
リソースのセットの第１のサブセット中でメッセージを送信すること、前記メッセージは、前記ＵＥの位置と、シーケンスを送信するための前記リソースのセットの第２のサブセット中の少なくとも１つのシンボルを示すリソース識別子（ＩＤ）とを備える、と、
前記リソースＩＤによって識別された前記リソースのセットの前記第２のサブセット中の前記少なくとも１つのシンボル中で前記シーケンスを送信することと、
少なくとも１つの他のＵＥから少なくとも１つの他のシーケンスを受信することと、
前記少なくとも１つの他のＵＥから受信された前記受信された少なくとも１つの他のシーケンスに基づいて送信タイミングを調整することと、
前記調整された送信タイミングに基づいて、前記リソースのセットの第３のサブセット中の１つまたは複数のシンボル中で前記シーケンスを送信すること、ここにおいて、前記１つまたは複数のシンボルは、前記リソースＩＤによって識別される、と、
を行うためのコードを備える、コンピュータ可読媒体。